(57)【要約】【課題】この発明は、外観が美しく、強度の高い紙容器を提供することを目的とするとともに、簡易で量産に向いたコストの低い紙容器の製造方法を提供することも目的とする。【解決手段】課題を解決するため、この発明の紙容器１は、筒状の胴体部２と円盤状の底板３を有する紙容器であって、筒状側壁４とこの筒状側壁の上下の少なくとも一方に形成された縁部５，６とを有し、胴体部２は内層紙８と外層紙７との二層を有し、内層紙８と外層紙７がそれぞれ筒を形成するための合わせ部９，１０が互いにずれた状態で組み合わされており、縁部は内層紙８と外層紙７との二層を筒状側壁４の内側に巻き込んで形成されていることを特徴とするものである。【選択図】図１
2005035593.tif 000002
【特許請求の範囲】
【請求項１】
筒状の胴体部と円盤状の底板を有する紙容器であって、筒状側壁とこの筒状側壁の上下の少なくとも一方に形成された縁部とを有し、胴体部は内層紙と外層紙との二層を有し、内層紙と外層紙がそれぞれ筒を形成するための合わせ部が互いにずれた状態で組み合わされており、縁部は内層紙と外層紙との二層を筒状側壁の内側に巻き込んで形成されていることを特徴とする紙容器。
【請求項２】
上部へ向いて開いた筒状の胴体部と円盤状の底板を有する紙容器であって、胴体部はテーパー状の筒状側壁とこの筒状側壁の上下に形成された上部縁部と下部縁部とを有し、胴体部は内層紙と外層紙との二層を有し、内層紙と外層紙がそれぞれ円環を形成するための合わせ部が互いにずれた状態で組み合わされており、上部縁部は内層紙と外層紙との二層を筒状側壁の外側に巻き込んで形成され、下部縁部は内層紙と外層紙との二層を筒状側壁の内側に巻き込んで形成されていることを特徴とする紙容器。
【請求項３】
ａ）外層紙用の台紙と内層紙用の台紙のそれぞれについて、第１の円弧と、第１の円弧と同心で半径が小さい第２の円弧と、第１の半径と、第１の半径の近傍の第２の半径で囲まれた形状の穴をあけるとともに、第１の半径からみて第２の半径と同じ側で離れた位置ある第３の半径に沿った切込みを入れ、ｂ）外層紙用の台紙と内層紙用の台紙のいづれか一方を左右逆になるように裏返し、ｃ）外層紙用の台紙の第１の半径と外層紙用の台紙の切り込みの位置を合わせるとともに第１の円弧同士および第２の円弧同士を合わせて外層紙用の台紙と内層紙用の台紙を重ねて貼り合せ、ｄ）第１の円弧と第２の円弧に沿って第１の半径から切り込みの位置までを切り抜いて帯状の部材を形成し、ｅ）外層紙の端部同士と内層紙の端部同士を合わせて上部へ向いて開いた円環状の胴体部を形成し、ｆ）胴体部の上部に上部縁部を内層紙と外層紙との二層を円環の外側に巻き込んで形成するとともに、胴体部の下部に下部縁部を内層紙と外層紙との二層を円環の内側に巻き込んで形成することを特徴とする紙容器の製造方法。
【請求項４】
円形の溝を有する２基の金型を加熱し、胴体部の上下端にそれぞれの金型の溝を合わせ、胴体部を２基の金型で挟み込んでプレスすることにより上部縁部と下部縁部を形成することを特徴とする請求項１に記載の紙容器の製造方法。
【請求項５】
請求項１または請求項２に記載の製造方法により製造される紙容器。
【発明の詳細な説明】
【技術分野】
【０００１】
本発明は、食品等を収納するために紙で作られた包装用容器に関するものである。
【背景技術】
【０００２】
漬物、佃煮などの加工食品を収納してそのまま販売する紙製容器としては、例えば特許文献１に、筒状の胴体を内層紙と外層紙の２層よりなるものとしたうえ、前記内層紙の上端延長部を外層紙の上端縁を覆う外カール部に形成とするとともに、外層紙の下端延長部を内層紙の下端縁に臨む内カール部に形成して、下端の内カール部に底板の周縁を支持させた紙製容器により、廃棄処理上問題がなく、しかも、強度的にも優れまた、量産容易で安価に提供できることが記載されている。
【特許文献１】特開２００１−１７１６４１号公開特許公報
【発明の開示】
【発明が解決しようとする課題】
【０００３】
しかし、特許文献１に記載された紙製容器について試験を行ってみたところ、強度が不十分であることがわかった。特許文献１に記載された紙製容器では、上端縁を覆う外カール部は内層紙のみで形成され、下端縁に臨む内カール部は外層紙のみで形成されている。すなわち、筒状の胴体の上下のカール部は、１枚の紙のみを巻き込んで形成されているが、これでは強度が十分でなく、内部に食品を詰めた状態の紙製容器を複数個積み重ねていくと、下のものは上からの荷重に耐えることができなくなり、破損する。
【０００４】
さらに、１枚の紙のみを巻き込んでカール部を形成するためには、環状外層紙の上縁より環状内層紙の上縁が上方に突き出すように配置され、また環状外層紙の下端が環状内層紙の下端より下方に突き出すように配置されるように重ねて接着しなければならないが、このような位置合わせは手間の係る作業であり、コストが高くなる。この発明は、外観が美しく、強度の高い紙容器を提供することを目的とする。また、簡易で量産に向いたコストの低い紙容器の製造方法を提供することも目的とする。
【課題を解決するための手段】
【０００５】
上記の課題を解決するため、この発明の紙容器は、筒状の胴体部と円盤状の底板を有する紙容器であって、筒状側壁とこの筒状側壁の上下の少なくとも一方に形成された縁部とを有し、胴体部は内層紙と外層紙との二層を有し、内層紙と外層紙がそれぞれ筒を形成するための合わせ部が互いにずれた状態で組み合わされており、縁部は内層紙と外層紙との二層を筒状側壁の内側に巻き込んで形成されていることを特徴とするものである。
【０００６】
この発明に係る別の紙容器は、上部へ向いて開いた円環状の胴体部と円盤状の底板を有する紙容器であって、胴体部はテーパー状の筒状側壁とこの筒状側壁の上下に形成された上部縁部と下部縁部とを有し、胴体部は内層紙と外層紙との二層を有し、内層紙と外層紙がそれぞれ円環を形成するための合わせ部が互いにずれた状態で組み合わされており、上部縁部は内層紙と外層紙との二層を筒状側壁の外側に巻き込んで形成され、下部縁部は内層紙と外層紙との二層を筒状側壁の内側に巻き込んで形成されていることを特徴とするものである。
【０００７】
この発明の紙容器の製造方法は、ａ）外層紙用の台紙と内層紙用の台紙のそれぞれについて、第１の円弧と、第１の円弧と同心で半径が小さい第２の円弧と、第１の半径と、第１の半径の近傍の第２の半径で囲まれた形状の穴をあけるとともに、第１の半径からみて第２の半径と同じ側で離れた位置ある第３の半径に沿った切込みを入れ、ｂ）外層紙用の台紙と内層紙用の台紙のいづれか一方を左右逆になるように裏返し、ｃ）外層紙用の台紙の第１の半径と外層紙用の台紙の切り込みの位置を合わせるとともに第１の円弧同士および第２の円弧同士を合わせて外層紙用の台紙と内層紙用の台紙を重ねて貼り合せ、ｄ）第１の円弧と第２の円弧に沿って第１の半径から切り込みの位置までを切り抜いて帯状の部材を形成し、ｅ）外層紙の端部同士と内層紙の端部同士を合わせて上部へ向いて開いた円環状の胴体部を形成し、ｆ）胴体部の上部に上部縁部を内層紙と外層紙との二層を円環の外側に巻き込んで形成するとともに、胴体部の下部に下部縁部を内層紙と外層紙との二層を円環の内側に巻き込んで形成することを特徴とするものである。円形の溝を有する２基の金型を加熱し、胴体部の上下端にそれぞれの金型の溝を合わせ、胴体部を２基の金型で挟み込んでプレスすることにより上部縁部と下部縁部を形成するようにすることもできる。
【発明の効果】
【０００８】
この発明の紙容器は、胴体部は内層紙と外層紙との二層を有し、内層紙と外層紙がそれぞれ筒を形成するための合わせ部が互いにずれた状態で組み合わたものとすることにより、合わせ部において段差がない美しい外観を実現でき、縁部は内層紙と外層紙との二層を筒状側壁の内側に巻き込んで形成されていることにより、縁部の強度を向上させるとともに、製造を容易にする。
【発明を実施するための最良の形態】
【０００９】
この発明を実施するための最良の形態について説明する。図１はこの発明の紙容器の一例を示す断面図である。紙容器１は、上部へ向いて開いた円環状の胴体部２と円盤状の底板３を有する。上部へ向いて開いたテーパー状の筒状側壁４を有し、筒状側壁４の上下に上部縁部５と下部縁部６が形成されている。胴体部は内層紙７と外層紙８とを貼り合わせた二層構造となっているが、この２つの層の間に中間層を設けてもよい。内層紙７と外層紙８は展開すると帯状の紙片となる。この帯状の紙片の両端部をつき合わせて、円環状の筒を形成する。ここで、外層紙の合わせ部９と、内層紙の合わせ部１０は短い距離ｄだけずれている。このように合わせ部９，１０を互いにずらして貼り合せることにより、区間ｄの部分が相互にのり代の働きをする。胴体部を一層の紙片のみで構成すると、合わせ部においてのり代分だけ重ね合わせなければならず、この部分に段差ができ、またこの部分だけ２倍の厚さとなるため、美観が損なわれる。しかし、本発明のように内層紙と外層紙を組合わせることにより、合わせ面において段差は生じず、また全周を通じて厚さが一定となるために、美しい外観を得ることができる。
【００１０】
筒状側壁４の上下の上部縁部５と下部縁部６は、筒状側壁４を構成する内層紙８と外層紙の端部を巻き込むことにより形成される。すなわち、上部縁部５と下部縁部６の部分においても外層紙７と内層紙８との二層であり、十分な強度を有する。
【００１１】
次に、紙容器１の製造方法について説明する。図２は紙容器１の製造方法を示す説明図である。外層紙用の台紙１１は紙容器１の表側に現れるもので、片面には予め印刷がされている。内層紙用の台紙１２は紙容器１の裏側を構成するものであり、外層紙用の台紙１１でもよいが、両面白紙であってもよい。図２（ａ）に示すように、外層紙用の台紙１１と内層紙用の台紙１２のそれぞれについて、穴１３をあけるとともに、切り込み１４をいれる。
【００１２】
図３は外層紙用の台紙１１の一部の拡大図である。穴１３は４つの辺で囲まれる。上辺は第１の円弧１５の一部によって構成される。下辺は第２の円弧１６の一部によって構成されるが、この第２の円弧１６は第１の円弧１５と同心で、第１の円弧１５より半径が小さい。左辺は第１の半径１７の一部で構成される。右辺は、第１の円弧１５の近傍で右側にある第２の半径１８の一部で構成される。図２（ａ）、図３において穴１３は外層紙用の台紙１１の左側にあけられる。
【００１３】
切り込み１４は、第１の半径１７からみて第２の半径１８と同じ側で離れた位置ある第３の半径１９に沿っていれられる。すなわち、図２（ａ）、図３において右端付近に、第３の半径１９に沿って、第１の円弧１５と第２の円弧１６の間に設けられる。
【００１４】
穴１３と切り込み１５は１枚の外層紙用の台紙１１に複数設けることができる。図２（ａ）の例では４組の穴１３と切り込み１５を設けている。内層紙用の台紙１１にも外層紙用の台紙１１と同様に穴１３と切り込み１５を設ける。したがって、プレスによってこの作業を行う場合は、同じプレス型を使うことができる。
【００１５】
次に、外層紙用の台紙１１と内層紙用の台紙１２のいづれか一方を左右逆になるように裏返す。図２（ｂ）の例では内層紙用の台紙１２の方を裏返しにしている。
【００１６】
そして、外層紙用の台紙１１と内層紙用の台紙１２を重ねて、接着剤で貼り合せる。ここで、外層紙用の台紙１１の印刷面が表に現れるように貼り合せる。このとき、外層紙用の台紙１１の穴１３の左辺（第１の半径１７）と外層紙用の台紙１２の切り込み１４（第３の半径１９）の位置を合わせるとともに、外層紙用の台紙１１と内層紙用の第１の円弧１５同士および第２の円弧同士１６をそろえる。
【００１７】
このようにして外層紙用の台紙１１と内層紙用の台紙１２を貼り合せたら、第１の円弧１５と第２の円弧１６に沿って外層紙用の台紙１１の穴１３の左辺（第１の半径１７）から切り込み１５（第３の半径１９）までの区間を切り抜いて外層紙７と内層紙８が貼りあわされた帯状の部材を形成する。
【００１８】
この帯状の部材において、外層紙７と内層紙８はその両端で穴１３の幅だけずれているので、両端は一層になっており、それ以外の中央の部分は二層になっている。この一層になっている部分がのり代となる。以上、ここまでの工程で、紙容器１の胴体部２を構成する部材が効率よく作られる。とくに図２の例では、１組の外層紙７と内層紙８から複数の帯状の部材が一度に作られ、生産効率が極めて高い。
【００１９】
ついで、外層紙１が表になるようにして帯状の部材を環状に貼り合せる。両端の一層になっている部分同士をのり代にして貼り合せることにより、全体が等しく二層で構成された胴体部の原型ができる。これは、円錐の上部を切り取ったようなテーパー状の円筒となっている。
【００２０】
さらに、胴体部の２の上下の縁部の形成について説明する。図４は縁部を形成する金型の平面図であり、図５は同断面図である。金型２０は円形の溝２１を有する。この溝２１の断面は上部がかけた円形であり、縁部の形状とほぼ同じである。金型２０は金属のブロック２２に取付けられ、ブロック２２の周囲にはヒータ２３が巻かれている。このヒータ２３は内部に電熱線を有するバンドヒータである。このヒータ２３でブロック２２を加熱することにより、さらに金型２０が加熱される。この金型を２種類用意する。一方の金型は上部縁部５形成用であり、溝２１の半径は筒状側壁４の上端の開口よりやや大きく、他方の金型は上部縁部６形成用であり、溝２１の半径は筒状側壁４の下端の開口よりやや小さい。この２基の金型２０を上下に配置し、ヒータ２３により加熱しておく。胴体部の原型の筒状の部材をこの２基の金型２０の間におき、胴体部の上下端にそれぞれの金型２０の溝２１を合わせ、胴体部を２基の金型で挟み込んでプレスする。これにより、上下の開口部において、外層紙７と内層紙８は金型２０の溝２１の形状に巻き込まれ、上部縁部５と下部縁部６が形成される。このように、上下に設けられた２基の金型で挟み込んでプレスし、上部縁部５と下部縁部６を同時に形成するので、製造工程を簡略化し、製造コストを下げることができるとともに、外層紙７と内層紙８の二層をきれいに巻き込んで、強度が高く外観が美しい縁部を形成することができる。
【産業上の利用可能性】
【００２１】
本発明は、外観が美しく、強度が高く、しかもコストが低い紙容器を実現できるので、漬物、佃煮などの加工食品を収納するものを含め、様々な用途の包装材として広く適用することができる。
【図面の簡単な説明】
【００２２】
【図１】紙容器の一例を示す断面図である。
【図２】紙容器の製造方法を示す説明図である。
【図３】外層紙用の台紙の一部の拡大図である。
【図４】縁部を形成する金型の平面図である。
【図５】同断面図である。
【符号の説明】
【００２３】
１．紙容器
２．胴体部
３．底板
４．筒状側壁
５．上部縁部
６．下部縁部
７．外層紙
８．内層紙
９，１０．合わせ部
１１．外層紙の台紙
１２．内層紙の台紙
１３．穴
１４．切り込み
１５．第１の円弧
１６．第２の円弧
１７．第１の半径
１８．第２の半径
１９．第３の半径
２０．金型
２１．溝
【図１】
2005035593.tif 000003
【図２】
2005035593.tif 000004
【図３】
2005035593.tif 000005
【図４】
2005035593.tif 000006
【図５】
2005035593.tif 000007